(57)【要約】【課題】本発明はキートップの小型化、薄型化に伴うスイッチング動作の信頼性を高めることを課題とする。【解決手段】キースイッチ装置１０は、幅広形状のキートップ２０と、キー補強機構３０と、スイッチ機構４０と、支持板５０とを有する。キー補強機構３０は、幅広形状のキートップ２０の全体を補強するように第1〜第３のワイヤ部材６０，７０，８０を配置しており、各ワイヤ部材６０，７０，８０が交差しないようにキートップ２０の下面側全体を補強するように配される。第１のワイヤ部材６０は、キートップ２０の長手方向のほぼ全長に亘って延在するように取り付けられる。第２のワイヤ部材７０は、スイッチ機構４０とキートップ２０の長手方向の一端との間の長手部分に沿うように取り付けられる。第３のワイヤ部材８０は、スイッチ機構４０とキートップ２０の長手方向の他端との間の長手部分に沿うように取り付けられる。【選択図】図１
2010272321.tif 000002
【特許請求の範囲】
【請求項１】
幅広形状のキートップと、該キートップの押圧操作による押圧力を受けて作動するスイッチ機構と、該スイッチ機構を支持する支持板と、前記キートップの下面側に係合されて前記キートップを補強するキー補強機構とを有するキースイッチ装置において、
前記キー補強機構は、
前記キートップの長手方向のほぼ全長に亘って延在し、前記キートップの下面側に係合される第１の梁部を有する第１のワイヤ部材と、
前記スイッチ機構が当接する領域と前記キートップの長手方向の一端との間の長手方向に沿うように延在し、前記キートップの下面側に係合される第２の梁部を有する第２のワイヤ部材と、
前記スイッチ機構が当接する領域と前記キートップの長手方向の他端との間の長手方向に沿うように延在し、前記キートップの下面側に係合される第３の梁部を有する第３のワイヤ部材と、
を有し、
前記第１、第２、第３のワイヤ部材は、各端部が前記支持板に回動可能に支持されることを特徴とするキースイッチ装置。
【請求項２】
前記キートップの長手方向の縁部の一側下面には、前記第１の梁部が係合される第１の係合部が設けられ、
前記キートップの長手方向の縁部のうち一方の長手方向の他側下面には、前記第２の梁部が係合される第２の係合部が設けられ、
前記キートップの長手方向のうち他方の長手方向の他側下面には、前記第３の梁部が係合される第３の係合部が設けられたことを特徴とする請求項１に記載のキースイッチ装置。
【請求項３】
前記第１、第２、第３のワイヤ部材は、前記第１、第２、第３の梁部の両端から曲げられた腕部と、該腕部の先端から内側に曲げられた端部とを有し、
前記支持板には、前記第１、第２、第３のワイヤ部材の各端部を回動可能に支持する前記第１、第２、第３の支持部が設けられたことを特徴とする請求項１または２に記載のキースイッチ装置。
【請求項４】
前記第１、第２、第３のワイヤ部材は、前記スイッチ機構を中心として前記キートップの長手方向に左右対称となるように配置されることを特徴とする請求項１乃至３の何れかに記載のキースイッチ装置。
【発明の詳細な説明】
【技術分野】
【０００１】
本発明はキースイッチ装置に係り、特にキートップの小型化、薄型化に対応したキースイッチ装置に関する。
【背景技術】
【０００２】
ノート型のパーソナルコンピュータにおいては、コンピュータ装置の小型化、薄型化に伴いキーボードに配置される各キートップの小型化、薄型化が促進されつつある。キーボードの各キートップは、樹脂成型品からなり、キートップの種別によって縦方向、横方向の寸法や形状が異なる。例えば、スペースキー、シフトキー、エンターキー等として用いられるキートップの場合、左右方向の横幅寸法が他のキートップ（例えば、アルファベットや数字の入力キー）よりも長い横長形状に形成されている。
【０００３】
このように横長形状とされたキートップは、薄型化により肉薄に形成された部分での強度が弱いので、例えば、長手方向の端部が押圧操作されると、キートップ下面の中央に当接するスイッチ部を押圧するためのゴム製のアクチュエータを支点として傾いたり、あるいは周方向に旋回動作するように撓むことがある。
【０００４】
このような、キートップの強度不足を補う補強機構として、例えば、直径１ｍｍのステンレス線材などからなる金属ワイヤをキートップ形状に応じた寸法に曲げ加工してなるワイヤ部材をキートップ下面に係合させるものがある（例えば、特許文献１参照）。
【０００５】
ワイヤ部材は、上方からみるとコ字状に形成されており、キートップの長手方向に延在する梁部と、梁部の両端を９０°の角度で曲げられた一対の腕部と、一対の腕部の先端部分を内側に曲げた端部とを有する。当該ワイヤ部材は、両端部がメンブレンスイッチのベース上に突出する係合部の孔または凹部に係合され、梁部がキー下面に係合されるように取り付けられる。このように、キートップ下面側にワイヤ部材を係合させることにより、キートップの強度が補強されるため、キートップは上面のどの部分が押圧操作されても水平なまま降下するように動作する。
【０００６】
このようにコ字状に曲げられた１本のワイヤ部材でキートップ下面側を補強する構成のものでは、当該ワイヤ部材の梁部が係合される長手方向の片側のみが補強される。さらに、キートップの高さを低くするためにキートップの厚さを薄く成型した場合には、キートップ自体の剛性がかなり小さくなるので、一対のワイヤ部材を対称に配してキートップ長手方向に沿う両側を補強することが行なわれている。
【先行技術文献】
【特許文献】
【０００７】
【特許文献１】特開２００１−１６７６５７号公報
【特許文献２】特開２００８−２５１４６１号公報
【発明の概要】
【発明が解決しようとする課題】
【０００８】
しかしながら、一対のワイヤ部材を対称に配してキートップ下面側を補強する構成では、キートップ中心部分に対向配置されたスイッチ部及びゴム製のアクチュエータを避けるように各ワイヤ部材の梁部を配置しなければならないため、各ワイヤ部材の梁部をスイッチ部及びゴム製のアクチュエータの外側に設けることになり、その分キー縦方向の幅寸法を小さくすることが難しかった。
【０００９】
また、キートップの肉厚を薄くした状態でワイヤ部材を１本に削減した場合、ワイヤ部材の直径分の縦方向のキートップ幅寸法を小さくすることが可能になるものの、キートップ自体の強度低下によりキー押圧操作時に横長形状のキートップ全体が水平移動せず、キートップ操作の感触が低下するという問題が生じる。
【００１０】
また、キートップの材質をフィラー混入材などにしてキートップ強度を高める方法も考えられるが、ワイヤ部材が係合される係合部が脆くなるといった弊害があり、量産品への適用には至っていない。
【００１１】
そこで、本発明は上記事情に鑑み、上記課題を解決したキースイッチ装置を提供することを目的とする。
【課題を解決するための手段】
【００１２】
上記課題を解決するため、本発明は以下のような手段を有する。
（１）本発明は、幅広形状のキートップと、該キートップの押圧操作による押圧力を受けて作動するスイッチ機構と、該スイッチ機構を支持する支持板と、前記キートップの下面側に係合されて前記キートップを補強するキー補強機構とを有するキースイッチ装置において、
前記キー補強機構は、
前記キートップの長手方向のほぼ全長に亘って延在し、前記キートップの下面側に係合される第１の梁部を有する第１のワイヤ部材と、
前記スイッチ機構が当接する領域と前記キートップの長手方向の一端との間の長手方向に沿うように延在し、前記キートップの下面側に係合される第２の梁部を有する第２のワイヤ部材と、
前記スイッチ機構が当接する領域と前記キートップの長手方向の他端との間の長手方向に沿うように延在し、前記キートップの下面側に係合される第３の梁部を有する第３のワイヤ部材と、
を有し、
前記第１、第２、第３のワイヤ部材は、各端部が前記支持板に回動可能に支持されることを特徴とする。
（２）本発明の前記キートップの長手方向の縁部の一側下面には、前記第１の梁部が係合される第１の係合部が設けられ、
前記キートップの長手方向の縁部のうち一方の長手方向の他側下面には、前記第２の梁部が係合される第２の係合部が設けられ、
前記キートップの長手方向のうち他方の長手方向の他側下面には、前記第３の梁部が係合される第３の係合部が設けられたことを特徴とする。
（３）本発明の前記第１、第２、第３のワイヤ部材は、前記第１、第２、第３の梁部の両端から曲げられた腕部と、該腕部の先端から内側に曲げられた端部とを有し、
前記支持板には、前記第１、第２、第３のワイヤ部材の各端部を回動可能に支持する前記第１、第２、第３の支持部が設けられたことを特徴とする。
（４）本発明の前記第１、第２、第３のワイヤ部材は、前記スイッチ機構を中心として前記キートップの長手方向に左右対称となるように配置されることを特徴とする。
【発明の効果】
【００１３】
本発明によれば、キートップの長手方向の強度を高めることができると共に、キートップの縦方向の幅をより小さくすることができる。また、キートップの肉厚を薄くして薄型化を促進させる場合にも、キートップの長手方向の押圧位置に拘わらず、キートップを水平状態のまま移動させて押圧操作の感触を向上させることができると共に、キートップの薄型化、小型化に伴うスイッチング動作の信頼性を高めることができる。
【図面の簡単な説明】
【００１４】
【図１】本発明によるキースイッチ装置の実施例１の主要構成を示す分解斜視図である。
【図２】実施例１のスイッチ機構の構成を拡大して示す分解斜視図である。
【図３】キースイッチ装置の組み立て状態を示す縦断面図である。
【図４Ａ】実施例１のスイッチ機構がオフ状態のときのリンク部材の動作状態を示す縦断面図である。
【図４Ｂ】実施例１のキートップが押圧操作開始されたときのリンク部材の動作状態を示す縦断面図である。
【図４Ｃ】実施例１のキートップが下限位置に押圧操作されたときのリンク部材の動作状態を示す縦断面図である。
【図５】実施例１の支持板上の構成を示す平面図である。
【図６】実施例１の各ワイヤ部材の配置を示す平面図である。
【図７】実施例１のキートップを下方からみた底面図である。
【図８】実施例１のキートップの下面側に各ワイヤ部材を取付けた状態を下方からみた底面図である。
【図９Ａ】実施例１のキースイッチ装置の操作前の状態を正面からみた縦断面図である。
【図９Ｂ】実施例１のキースイッチ装置の押圧操作状態を示す縦断面図である。
【図１０Ａ】図９Ａ中Ａ−Ａ線に沿う側縦断面図である。
【図１０Ｂ】図９Ｂ中Ｂ−Ｂ線に沿う側縦断面図である。
【図１１Ａ】図９Ａ中Ｃ−Ｃ線に沿う側縦断面図である。
【図１１Ｂ】図９Ｂ中Ｄ−Ｄ線に沿う側縦断面図である。
【図１２】本発明によるキースイッチ装置の実施例２の主要構成を示す分解斜視図である。
【図１３】実施例２の支持板上の構成を示す平面図である。
【図１４】実施例２の各ワイヤ部材の配置を示す平面図である。
【図１５】実施例２のキートップを下方からみた底面図である。
【図１６】実施例２のキートップの下面側に各ワイヤ部材を取付けた状態を下方からみた底面図である。
【図１７Ａ】実施例２のキースイッチ装置の操作前の状態を正面からみた縦断面図である。
【図１７Ｂ】実施例２のキースイッチ装置の押圧操作状態を示す縦断面図である。
【図１８Ａ】図１７Ａ中Ｅ−Ｅ線に沿う側縦断面図である。
【図１８Ｂ】図１７Ｂ中Ｆ−Ｆ線に沿う側縦断面図である。
【図１９Ａ】図１７Ａ中Ｇ−Ｇ線に沿う側縦断面図である。
【図１９Ｂ】図１７Ｂ中Ｈ−Ｈ線に沿う側縦断面図である。
【発明を実施するための形態】
【００１５】
以下、図面を参照して本発明を実施するための形態について説明する。
【実施例１】
【００１６】
図１は本発明によるキースイッチ装置の実施例１の主要構成を示す分解斜視図である。尚、本実施例では、多数のキーが配されたキーボードにおいて、幅広形状のキーを有するキースイッチ装置の構成について説明する。
【００１７】
図１に示されるように、キースイッチ装置１０は、幅広形状のキートップ２０と、キー補強機構３０と、スイッチ機構４０と、支持板５０とを有する。
【００１８】
キートップ２０は、例えば、スペースキー、シフトキー、エンターキー等として用いられ、左右方向（Ｘａ，Ｘｂ方向）の横幅寸法Ｌａが縦方向（Ｙａ，Ｙｂ方向）の縦幅寸法Ｌｂのｎ倍とされた横長形状に形成されている（Ｌａ＝ｎ・Ｌｂ）。また、キートップ２０は、薄い樹脂成型品であり、肉厚寸法が比較的撓みやすい厚さ（例えば、キー上部の厚さが１ｍｍ以下）に形成されている。
【００１９】
キー補強機構３０は、幅広形状のキートップ２０の全体を補強するように第1〜第３のワイヤ部材６０，７０，８０を配置しており、各ワイヤ部材６０，７０，８０が交差しないようにキートップ２０の下面側全体を補強するように配される。各ワイヤ部材６０，７０，８０は、夫々耐蝕性を有するステンレス線材などの金属ワイヤをコ字状に曲げ加工してなる。
【００２０】
第１のワイヤ部材６０は、キートップ２０の長手方向のほぼ全長に亘って延在し、キートップ２０の下面側に係合される第１の梁部６２を有する。第２のワイヤ部材７０は、スイッチ機構４０とキートップ２０の長手方向の一端（左側端部）との間の長手部分に沿うように延在し、キートップ２０の下面側に係合される第２の梁部７２を有する。第３のワイヤ部材８０は、スイッチ機構４０とキートップ２０の長手方向の他端（右側端部）との間の長手部分に沿うように延在し、キートップ２０の下面側に係合される第３の梁部８２を有する。
【００２１】
また、各ワイヤ部材６０，７０，８０は、夫々同一形状に曲げ加工されており、上記梁部６２，７２，８２と、梁部６２，７２，８２の両端から内側に９０°の角度で曲げられた腕部６４，６５，７４，７５，８４，８５と、各腕部６４，６５，７４，７５，８４，８５の先端から内側に９０°の角度で曲げられた端部６６，６７，７６，７７，８６，８７とを有する。
【００２２】
本実施例では、各ワイヤ部材６０，７０，８０は、ワイヤ部材６０の一方の端部６６がワイヤ部材７０の端部７６と７７との間に位置し、ワイヤ部材６０の他方の端部６７がワイヤ部材８０の端部８６と８７との間に位置するように配置される。
【００２３】
尚、各ワイヤ部材６０，７０，８０の太さ（直径）は、夫々同一寸法としても良いし、あるいは全長の長い第１のワイヤ部材６０を太く（例えば、直径１ｍｍ）し、全長の短い第２、第３のワイヤ部材７０，８０を細く（例えば、直径０．８ｍｍ）しても良い。
【００２４】
スイッチ機構４０は、リンク支持部材９０、ゴム製アクチュエータ１００と、一対のリンク部材１１０，１２０と、メンブレンスイッチシート１３０とを有する。
【００２５】
支持板５０は、例えば、アルミ合金等の金属プレートにより形成されており、リンク支持部材９０の４本の係合脚部９２が挿通される４つの挿通孔５１と、各ワイヤ部材６０の端部６６，６７を回動可能に支持する第１の支持部５２，５３と、ワイヤ部材７０の端部７６，７７を回動可能に支持する第２の支持部５４，５５と、ワイヤ部材８０の端部８６，８７を回動可能に支持する第３の支持部５６，５７が切り起こされている。また、支持板５０の上面には、メンブレンスイッチシート１３０が密着されている。尚、本実施例においては、支持板５０とメンブレンスイッチシート１３０が別体に設けられた構成を例に挙げているが、これに限らず、例えば、支持板５０の上面に各キートップに対向するメンブレンスイッチの接点を一体に接着した構成としても良い。
【００２６】
メンブレンスイッチシート１３０は、キーボードに配された複数のキートップに対向する複数の位置に各接点が設けられている。また、メンブレンスイッチシート１３０には、上記支持部５１〜５７が貫通するための孔が設けられている。
【００２７】
ここで、スイッチ機構４０の各部の構成について説明する。
【００２８】
図２は実施例１のスイッチ機構４０の構成を拡大して示す分解斜視図である。図２に示されるように、リンク支持部材９０は、上記係合脚部９２と、枠体９４と、凹部９６とを有する。枠体９４は、上方からみるとゴム製アクチュエータ１００が挿通される空間９５の周囲を囲むように形成されている。また、枠体９４の四隅には、係合脚部９２の先端が下方に突出している。さらに、リンク部材１１０，１２０を回動可能に支持する凹部９６は、枠体９４の前後方向（Ｙａ，Ｙｂ方向）の側壁９７の下面に設けられている。尚、各係合脚部９２は、支持板５０の各挿通孔５１に挿通された後、先端部分を変形させて支持板５０の下面側に固着される。
【００２９】
スイッチ機構４０の一対のリンク部材１１０，１２０は、腕部下端が支持板５０上に締結されたリンク支持部材９０により回動可能に支持され、且つ腕部上端がキートップ２０の下面側に係合される。また、一対のリンク部材１１０，１２０は、樹脂材により一体成型されており、キートップ２０の押圧操作による上下方向（Ｚａ，Ｚｂ方向）の動作を安定的に行なうように連動して回動動作するリンク機構を構成している。
【００３０】
一方のリンク部材１１０は、平行に延在する一対の腕部１１０ａ，１１０ｂと、連結部１１０ｃと、軸部１１０ｄと、ギヤ部１１０ｅと、係合突部１１０ｆとを有する。連結部１１０ｃは、一対の腕部１１０ａ，１１０ｂの先端間を連結している。軸部１１０ｄは、腕部１１０ａ、１１０ｂの下端部内側より側方に突出しており、リンク支持部材９０の凹部９６に嵌合して回動可能に支持される。ギヤ部１１０ｅは、一対の腕部１１０ａ，１１０ｂの下端部に設けられ、軸部１１０ｄを中心とする半径に沿って複数の歯部が形成されている。
【００３１】
また、他方のリンク部材１２０は、上記リンク部材１１０と同一構成であり、各部の説明は省略する。従って、一対のリンク部材１１０，１２０は、腕部１１０ａ，１１０ｂの下端内側分より側方に突出する軸部１１０ｄをリンク支持部材９０の凹部９６に嵌合させることで、ゴム製アクチュエータ１００を中心として左右対称となるように配されると共に、各腕部１１０ａ，１１０ｂのギヤ部１１０ｅが互いに噛み合うように配置される。
【００３２】
ゴム製アクチュエータ１００は、上下方向に弾性変形可能な円筒形状に成型してなり、上端にはキートップ２０の下面側中央に当接する小径当接部１００ａが環状に形成されている。また、ゴム製アクチュエータ１００の下端には、メンブレンスイッチシート１３０の絶縁層に当接する大径当接部１００ｂが形成されている。そして、小径当接部１００ａと大径当接部１００ｂとの間には、内部が中空とされたテーパ部１００ｃが形成されている。
【００３３】
また、ゴム製アクチュエータ１００は、ゴム材による粘弾性を有するため、キー押圧操作時の押圧力を弾性変形して吸収すると共に、押圧力が解除されたときにキートップ２０を上限位置に復帰させる復元力を発生する。
【００３４】
メンブレンスイッチシート１３０は、薄い絶縁シート（例えば、ＰＥＴフィルム）間に円形の接点部１３２が形成されている。尚、接点部１３２は、上方からの押圧力によって閉成するように一対の電極が鉛直方向で対向配置されている。また、接点部１３２の両側には、リンク支持部材９０の各係合脚部９２及び、枠体９４の側壁９７が挿通される一対の開口１３４が設けられている。
【００３５】
ゴム製アクチュエータ１００は、上方からの押圧力が作用しないときは、キートップ２０をメンブレンスイッチシート１３０の上方に離間した上限位置に付勢して接点部１３２をオフ（非導通状態）にしており、上方からの押圧力によって圧縮変形されることで接点部１３２を押圧してオフ（非導通状態）からオン（導通状態）に切り替える。
【００３６】
図３はキースイッチ装置の組み立て状態を示す縦断面図である。図３に示されるように、スイッチ機構４０がオフ状態（非通電状態）であるときのキートップ２０は、ゴム製アクチュエータ１００によりメンブレンスイッチシート１３０の上方に離間した上限位置に付勢されている。また、リンク部材１１０，１２０は、腕部１１０ａ、１１０ｂが斜め上方に回動した位置にあり、且つ上端の係合突部１１０ｆ，１２０ｆがキートップ２０の下面側に突出するＬ字状の係合部２２の溝２３に嵌合する。係合部２２の溝２３は、Ｘａ，Ｘｂ方向に延在形成されているので、腕部１１０ａ，１１０ｂが回動しても係合突部１１０ｆ，１２０ｆがＸａ，Ｘｂ方向に摺動しても係合状態を維持することができる。
【００３７】
また、キートップ２０の下面側中央には、ゴム製アクチュエータ１００の小径当接部１００ａに嵌合する嵌合部１６０（図７を参照）が突出しており、この嵌合部１６０はゴム製アクチュエータ１００の小径当接部１００ａがずれることを防止する。
【００３８】
ここで、上記スイッチ機構４０の各部の動作について説明する。図４Ａは実施例１のスイッチ機構４０がオフ状態のときのリンク部材１１０，１２０の動作状態を示す縦断面図である。図４Ｂは実施例１のキートップ２０が押圧操作開始されたときのリンク部材１１０，１２０の動作状態を示す縦断面図である。図４Ｃは実施例１のキートップ２０が下限位置に押圧操作されたときのリンク部材１１０，１２０の動作状態を示す縦断面図である。
【００３９】
図４Ａに示されるように、キートップ２０が操作されていない状態では、リンク部材１１０，１２０がそれぞれ斜め上方に回動した状態で停止している。リンク部材１１０，１２０は、各腕部１１０ａ，１１０ｂ，１２０ａ，１２０ｂの上側に凹部１１０ｇ，１２０ｇが設けられている。また、キートップ２０の下面側には、キートップ２０の降下動作に伴うリンク部材１１０，１２０の回動動作によって上記凹部１１０ｇ，１２０ｇに嵌合する突出部２４，２５が設けられている。
【００４０】
図４Ｂに示されるように、キートップ２０の上面が下方に押圧操作されると、その押圧力Ｆによってキートップ２０が下方（Ｚｂ方向）に移動する。これにより、リンク部材１１０，１２０は、ギヤ部１１０ｅ，１２０ｅが互いに噛み合うため、係合突部１１０ｆ，１２０ｆが係合部２２の溝２３を摺動しながら同時にα方向、β方向に回動する。このとき、リンク部材１１０，１２０は、支持部５１の孔５１ａに係止されたリンク支持部材９０の凹部９６に嵌合された軸部１１０ｄ，１２０ｄを回動中心としてα方向、β方向に回動する。
【００４１】
これにより、キートップ２０は、リンク部材１１０，１２０が同時にα方向、β方向に回動するのに伴って係合部２２を下方に押し下げる。よって、キートップ２０の中央部分は、一対のリンク部材１１０，１２０が連動して回動することにより、傾くことなく水平状態のまま降下してゴム製アクチュエータ１００を垂下方向に圧縮する。このように、キートップ２０の長手方向の中央部分は、リンク部材１１０，１２０が同時に回動してキートップ２０の下面に設けられた係合部２２を下方に押し下げるため、キートップ２０の押圧操作位置が中心部から外れた位置であっても傾くことなく水平状態を維持しながら降下する。
【００４２】
また、リンク部材１１０，１２０が同時にα方向、β方向に回動すると共に、キートップ２０の下面側に突出する突出部２４，２５の先端部分がリンク部材１１０，１２０の凹部１１０ｇ，１２０ｇに嵌合する。これにより、キートップ２０の下面側に対するリンク部材１１０，１２０の相対位置が規制される。
【００４３】
図４Ｃに示されるように、キートップ２０の降下動作により押圧されたゴム製アクチュエータ１００は、メンブレンスイッチシート１３０の接点１３２を押圧してオン状態に切替える。これと共に、一対のリンク部材１１０，１２０は、ほぼ水平位置に回動して停止する。これで、スイッチ機構４０は、オン状態（通電状態）に切り替わる。
【００４４】
ここで、本実施例の補強機構３０を構成する各ワイヤ部材６０，７０，８０の取付構造について説明する。
【００４５】
図５は実施例１の支持板５０上の構成を示す平面図である。図５に示されるように、キートップ２０に対向する支持板５０のキー取付領域１４０には、４つの挿通孔５１と、各ワイヤ部材６０，７０，８０を支持する支持部５２〜５７と、ワイヤ押さえ５８と、キーガイド５９とが設けられている。上記挿通孔５１と、支持部５２〜５７と、ワイヤ押さえ５８と、キーガイド５９とは、夫々キートップ２０の中心に対して左右方向（Ｘａ，Ｘｂ方向）に左右対称となるように配されている。これにより、各ワイヤ部材６０，７０，８０は、キートップ２０の中心に対して左右対称となるように配置される。
【００４６】
各挿通孔５１は、リンク支持部材９０の各係合脚部９２が挿通され、リンク支持部材９０を固定する。支持部５２〜５７は、逆Ｌ字状（図１を参照）に形成されており、各ワイヤ部材６０，７０，８０の端部６６，６７，７６，７７，８６，８７が挿通される鉤孔５２ａ〜５７ａが前後方向（Ｙａ，Ｙｂ方向）に延在形成されている。
【００４７】
ワイヤ押さえ５８は、ワイヤ部材７０，８０の腕部７４，７５，８４，８５の左右方向（Ｘａ，Ｘｂ方向）の取付位置を規制する規制部材である。
【００４８】
キーガイド５９は、キートップ２０の下面側から下方に突出するリブが嵌合するスリット５９ａを有する。スリット５９ａは、垂直方向（Ｚａ，Ｚｂ方向）に延在され、且つ支持板５０の左右方向（Ｘａ，Ｘｂ方向）にも連続形成されている。
【００４９】
図６は実施例１の各ワイヤ部材６０，７０，８０の配置を示す平面図である。図６に示されるように、各ワイヤ部材６０，７０，８０は、各端部６６，６７，７６，７７，８６，８７が支持部５２〜５７の鉤孔５２ａ〜５７ａに挿通される。鉤孔５２ａ〜５７ａは、図１に示されるように、Ｙａ，Ｙｂ方向に延在する長方形状の鉤状凹部であり、Ｙｂ方向側が開口とされている。そのため、各端部６６，６７，７６，７７，８６，８７は、Ｙｂ方向側からＹａ方向へスライドさせることにより、簡単に鉤孔５２ａ〜５７ａに挿通させることができる。
【００５０】
本実施例では、全長の長いワイヤ部材６０は、梁部６２がキー取付領域１４０のＹｂ側に配され、全長の短いワイヤ部材７０，８０は、梁部７２，８２がキー取付領域１４０のＹａ側に配される。また、一方のワイヤ部材７０は、キー取付領域１４０の左側（Ｘａ方向側）に配され、他方のワイヤ部材８０は、キー取付領域１４０の右側（Ｘｂ方向側）に配される。
【００５１】
ワイヤ部材７０，８０は、スイッチ機構４０が配されるスイッチ領域１５０を除く部分に配される。従って、スイッチ領域１５０においては、片側（Ｙｂ方向側）にワイヤ部材６０の梁部６２が装架されるものの、反対側（Ｙａ方向側）にはワイヤ部材が装架されていない。これにより、キートップ２０の輪郭形状に対応するキー取付領域１４０は、両側にワイヤ部材を配する方式よりも前後方向（Ｙａ，Ｙｂ方向）の幅寸法をワイヤ部材１本分狭くすることが可能になる。
【００５２】
ここで、キートップ２０の下面側の構成について説明する。図７は実施例１のキートップ２０を下方からみた底面図である。図７に示されるように、キートップ２０の下面側には、嵌合部１６０と、ワイヤ係合部１６１〜１６８と、ワイヤ当接部１６９と、リブ１７０，１７１と、仕切り１７２，１７３とが一体成型されている。
【００５３】
嵌合部１６０は、下方からみると円弧形状の突出部を一対設けたものであり、ゴム製アクチュエータ１００の小径当接部１００ａの外周に嵌合して小径当接部１００ａの位置を規制してゴム製アクチュエータ１００の位置ずれを防止する。
【００５４】
図８は実施例１のキートップ２０の下面側に各ワイヤ部材６０，７０，８０を取付けた状態を下方からみた底面図である。図８に示されるように、各ワイヤ部材６０，７０，８０の梁部６２，７２，８２は、夫々キートップ２０の下面側に一体成型されたワイヤ係合部１６１〜１６８に係合される。ワイヤ係合部１６１〜１６８は、夫々下方側が開口とされたＵ字状溝１８０（図１０Ａ、図１０Ｂ、図１１Ａ、図１１Ｂを参照）を有している。
【００５５】
ワイヤ当接部１６９は、ワイヤ部材６０の梁部６２の中間部分に当接して梁部６２の撓みを防止する。
【００５６】
リブ１７０，１７１は、前後方向（Ｙａ，Ｙｂ方向）に延在する３つの壁部１７０ａ，１７１ａと、左右方向（Ｘａ，Ｘｂ方向）に延在する２つの壁部１７０ｂ，１７１ｂとが交差する格子状に形成されており、キートップ２０の下面側の強度を高めている。また、壁部１７０ｂ，１７１ｂは、下方に突出する突出部１７０ｃ、１７１ｃを有しており、この突出部１７０ｃ、１７１ｃは、キーガイド５９のスリット５９ａに嵌合する。これにより、キートップ２０は、昇降動作方向がガイドされ、ゴム製アクチュエータ１００を中心とする旋回方向の動作が生じないように昇降動作以外の動作が制限される。
【００５７】
左側の仕切り１７２は、ワイヤ部材６０の腕部６４とワイヤ部材７０の端部７６との間を遮断してワイヤ部材同士の接触（干渉）を防止している。また、右側の仕切り１７３は、ワイヤ部材６０の腕部６５と、ワイヤ部材８０の端部８７との間を遮断してワイヤ部材同士の接触（干渉）を防止している。
【００５８】
キートップ２０は、薄型化に対応させるため、上部肉厚が薄く（例えば、１ｍｍ以下）に成型されている。しかしながら、キートップ２０の下面側の長手方向の両側に配された各ワイヤ係合部１６１〜１６８には、各ワイヤ部材６０，７０，８０の梁部６２，７２，８２が係合しているため、Ｙａ方向側及びＹｂ方向側のそれぞれの強度が向上している。
【００５９】
そのため、幅広形状に形成されたキートップ２０を押圧操作する際に中心部分から外れた箇所（Ｘａ，Ｘｂ方向の端部付近）が押圧された場合にも、キートップ２０自体が撓むことを防止でき、あるいはゴム製アクチュエータ１００との当接部分を中心として旋回動作するような動きを防止することができる。
【００６０】
また、キートップ２０は、Ｙｂ方向側の縁部２６がワイヤ部材６０の梁部６２によりほぼ全長に亘り補強されているが、Ｙａ方向側の縁部２７は長手方向の中心付近（ゴム製アクチュエータ１００が当接する領域）を除いてワイヤ部材７０，８０の梁部７２，８２によって補強される。そのため、Ｙａ方向側の縁部２７の長手方向の中心付近においては、ワイヤ部材が装架されていないので、前後方向（Ｙａ，Ｙｂ方向）の幅寸法がワイヤ部材の直径に想到する寸法分小さくなっている。よって、キートップ２０は、下面側に各ワイヤ部材６０，７０，８０の梁部６２，７２，８２が係合することにより、小型化を図れると共に、薄型化に伴う強度不足を改善することが可能になる。
【００６１】
ここで、上記キースイッチ装置１０の昇降動作について説明する。
【００６２】
図９Ａは実施例１のキースイッチ装置１０の操作前の状態を正面からみた縦断面図である。図９Ｂは実施例１のキースイッチ装置１０の押圧操作状態を示す縦断面図である。図１０Ａは図９Ａ中Ａ−Ａ線に沿う側縦断面図である。図１０Ｂは図９Ｂ中Ｂ−Ｂ線に沿う側縦断面図である。図１１Ａは図９Ａ中Ｃ−Ｃ線に沿う側縦断面図である。図１１Ｂは図９Ｂ中Ｄ−Ｄ線に沿う側縦断面図である。
【００６３】
図９Ａ、図１０Ａ、図１１Ａに示されるように、キートップ２０は、長手方向（Ｘａ，Ｘｂ方向）の中心部分をスイッチ機構４０のゴム製アクチュエータ１００及び一対のリンク部材１１０，１２０によりメンブレンスイッチシート１３０の上方の上限位置に支持され、且つ各ワイヤ部材６０，７０，８０によりＹｂ方向側の縁部２６及びＹａ方向側の縁部２７が長手方向に沿って支持される。
【００６４】
各ワイヤ部材６０，７０，８０の梁部６２，７２，８２は、夫々キートップ２０の下面側に一体成型されたワイヤ係合部１６１〜１６８のＵ字状溝１８０に係合される。Ｕ字状溝１８０は、下方側の開口１８１と、当該開口に連通された円形凹部１８２とからなる。Ｕ字状溝１８０の開口１８１は、各ワイヤ部材６０，７０，８０の直径よりも若干小さく開口幅に形成されている。そのため、Ｕ字状溝１８０は、各ワイヤ部材６０，７０，８０の梁部６２，７２，８２が円形凹部１８２に圧入されると、梁部６２，７２，８２を脱落不可状態に保持する。
【００６５】
よって、組み立て工程時には、図６に示されるように、各ワイヤ部材６０，７０，８０の各端部６６，６７，７６，７７，８６，８７を支持部５２〜５７の鉤孔５２ａ〜５７ａに挿通させた後、上方からキートップ２０を降下させることにより、各ワイヤ部材６０，７０，８０の梁部６２，７２，８２を一括して各ワイヤ係合部１６１〜１６８の各Ｕ字状溝１８０に係合させることが可能になる。すなわち、本実施例においては、ワイヤ部材数が増加しても組み立て工数は、増加せず、効率良く組み立てることが可能である。
【００６６】
また、各ワイヤ部材６０，７０，８０は、各端部６６，６７，７６，７７，８６，８７が支持板５０上に起立する支持部５２〜５７の鉤孔５２ａ〜５７ａに挿通されており、さらに各ワイヤ部材６０，７０，８０の各腕部６４，６５，７４，７５，８４，８５が斜め上方に延在する傾斜状態となって各端部６６，６７，７６，７７，８６，８７と梁部６２，７２，８２とを連結している。
【００６７】
そのため、各ワイヤ部材６０，７０，８０は、キートップ２０の昇降動作に連動して各端部６６，６７，７６，７７，８６，８７を回動軸として回動動作する。このようにキートップ２０は、Ｙｂ方向側の縁部２６及びＹａ方向側の縁部２７が長手方向の全長に亘って各ワイヤ部材６０，７０，８０によって支持されている。
【００６８】
図９Ｂ、図１０Ｂ、図１１Ｂに示されるように、キートップ２０の上面が下方に押圧された場合、各ワイヤ部材６０，７０，８０が各端部６６，６７，７６，７７，８６，８７を中心として回動するため、キートップ２０は、水平状態を維持しながら下限位置に降下する。また、キートップ２０は、Ｙｂ方向側の縁部２６及びＹａ方向側の縁部２７が各ワイヤ部材６０，７０，８０の梁部６２，７２，８２によって支持され、且つ梁部６２，７２，８２が各腕部６４，６５，７４，７５，８４，８５を介して支持されているので、長手方向のどの箇所が押圧されても同じように水平状態のまま下限位置に降下する。これにより、キートップ２０の薄型化、小型化に伴うスイッチング動作の信頼性を高めることが可能になる。
【実施例２】
【００６９】
図１２は本発明によるキースイッチ装置の実施例２の主要構成を示す分解斜視図である。尚、上記実施例１と同一部分には、同一符合を付してその説明を省略する。
【００７０】
図１２に示されるように、実施例２のキースイッチ装置１０Ａは、各ワイヤ部材６０Ａ，７０Ａ，８０Ａの配置が前述した実施例１の場合と異なる。
【００７１】
本実施例では、各ワイヤ部材６０Ａ，７０Ａ，８０Ａは、全長の長いワイヤ部材６０Ａの一方の端部６６と他方の端部との間に全長の短いワイヤ部材７０Ａ，８０Ａが位置するように配置される。
【００７２】
ここで、本実施例の補強機構３０Ａを構成する各ワイヤ部材６０Ａ，７０Ａ，８０Ａの取付構造について説明する。
【００７３】
図１３は実施例２の支持板５０上の構成を示す平面図である。図１３に示されるように、キートップ２０Ａに対向する支持板５０Ａのキー取付領域１４０には、４つの挿通孔５１と、各ワイヤ部材６０Ａの端部６６，６７を支持する第１の支持部５２Ａ，５３Ａと、ワイヤ部材７０Ａの端部７６Ａ，７７Ａを支持する第２の支持部５４Ａ，５５Ａと、ワイヤ部材８０Ａの端部８６Ａ，８７Ａを支持する第３の支持部５６Ａ，５７Ａと、ワイヤ押さえ５８と、キーガイド５９とが設けられている。上記挿通孔５１と、支持部５２Ａ〜５７Ａと、ワイヤ押さえ５８と、キーガイド５９とは、夫々キートップ２０Ａの中心に対して左右方向（Ｘａ，Ｘｂ方向）に左右対称となるように配されている。これにより、各ワイヤ部材６０Ａ，７０Ａ，８０Ａは、キートップ２０Ａの中心に対して左右対称となるように配置される。
【００７４】
各挿通孔５１は、リンク支持部材９０の各係合脚部９２が挿通され、リンク支持部材９０を固定する。支持部５２Ａ〜５７Ａは、逆Ｌ字状（図１２を参照）に形成されており、各ワイヤ部材６０Ａ，７０Ａ，８０Ａの端部６６Ａ，６７Ａ，７６Ａ，７７Ａ，８６Ａ，８７Ａが挿通される鉤孔５２ａ〜５７ａが前後方向（Ｙａ，Ｙｂ方向）に延在形成されている。
【００７５】
ワイヤ押さえ５８は、ワイヤ部材６０Ａの腕部６４Ａ，６５Ａの左右方向（Ｘａ，Ｘｂ方向）の取付位置を規制する規制部材である。
【００７６】
キーガイド５９は、キートップ２０Ａの下面側から下方に突出するリブが嵌合するスリット５９ａを有する。スリット５９ａは、垂直方向（Ｚａ，Ｚｂ方向）に延在し、且つ支持板５０の左右方向（Ｘａ，Ｘｂ方向）にも連続形成されている。
【００７７】
図１４は実施例２の各ワイヤ部材６０Ａ，７０Ａ，８０Ａの配置を示す平面図である。図６に示されるように、ワイヤ部材６０Ａは、端部６６Ａ，６７Ａが支持部５２Ａ，５３Ａの鉤孔５２ａ，５３ａに挿通される。ワイヤ部材７０Ａは、端部７６Ａ，７７Ａが支持部５４Ａ，５５Ａの鉤孔５４ａ，５５ａに挿通される。ワイヤ部材８０Ａは、端部８６Ａ，８７Ａが支持部５６Ａ，５７Ａの鉤孔５６ａ，５７ａに挿通される。
【００７８】
鉤孔５２ａ〜５７ａは、図１２に示されるように、Ｙａ，Ｙｂ方向に延在する長方形状の鉤部であり、Ｙｂ方向側が開口とされている。そのため、各端部６６Ａ，６７Ａ，７６Ａ，７７Ａ，８６Ａ，８７Ａは、Ｙｂ方向側からＹａ方向へスライドさせることにより、簡単に鉤孔５２ａ〜５７ａに挿通させることができる。
【００７９】
本実施例では、全長の長いワイヤ部材６０Ａは、梁部６２Ａがキー取付領域１４０のＹａ側に配され、全長の短いワイヤ部材７０Ａ，８０Ａは、梁部７２Ａ，８２Ａがキー取付領域１４０のＹｂ側に配される。また、一方のワイヤ部材７０Ａは、キー取付領域１４０の左側（Ｘａ方向側）に配され、他方のワイヤ部材８０Ａは、キー取付領域１４０の右側（Ｘｂ方向側）に配される。
【００８０】
ワイヤ部材７０Ａ，８０Ａは、スイッチ機構４０が配されるスイッチ領域１５０を除く部分に配される。従って、スイッチ領域１５０においては、片側（Ｙａ方向側）にワイヤ部材６０Ａの梁部６２Ａが装架されるものの、反対側（Ｙｂ方向側）にはワイヤ部材が装架されていない。これにより、キートップ２０Ａの輪郭形状に対応するキー取付領域１４０は、両側にワイヤ部材を配する方式よりも前後方向（Ｙａ，Ｙｂ方向）の幅寸法をワイヤ部材１本分狭くすることが可能になる。
【００８１】
ここで、キートップ２０Ａの下面側の構成について説明する。図１５は実施例２のキートップ２０Ａを下方からみた底面図である。図１５に示されるように、キートップ２０Ａの下面側には、嵌合部１６０と、ワイヤ係合部１６１〜１６８と、ワイヤ当接部１６９と、リブ１７０，１７１と、仕切り１７２〜１７５とが一体成型されている。
図１６は実施例２のキートップ２０Ａの下面側に各ワイヤ部材６０Ａ，７０Ａ，８０Ａを取付けた状態を下方からみた底面図である。図１６に示されるように、各ワイヤ部材６０Ａ，７０Ａ，８０Ａの梁部６２Ａ，７２Ａ，８２Ａは、夫々キートップ２０の下面側に一体成型されたワイヤ係合部１６１〜１６８に係合される。ワイヤ係合部１６１〜１６８は、夫々下方側が開口とされたＵ字状溝１８０（図１８Ａ、図１８Ｂ、図１９Ａ、図１９Ｂを参照）を有している。
【００８２】
リブ１７０，１７１の突出部１７０ｃ、１７１ｃは、キーガイド５９のスリット５９ａに嵌合する。これにより、キートップ２０Ａは、昇降動作方向がガイドされ、ゴム製アクチュエータ１００を中心とする旋回方向の動作が生じないように昇降動作以外の動作が制限される。
【００８３】
仕切り１７２は、ワイヤ部材６０Ａの腕部６４Ａと、ワイヤ部材７０Ａの腕部７４Ａとの間を遮断してワイヤ部材同士の接触（干渉）を防止している。また、仕切り１７３は、ワイヤ部材６０Ａの腕部６５Ａと、ワイヤ部材８０Ａの腕部８５Ａとの間を遮断してワイヤ部材同士の接触（干渉）を防止している。
【００８４】
また、仕切り１７４，１７５は、スイッチ機構４０と各ワイヤ部材７０Ａ，８０Ａとが干渉しないようにスイッチ領域１５０の両側に設けられている。
【００８５】
キートップ２０Ａの下面側の長手方向の両側に配された各ワイヤ係合部１６１〜１６８には、各ワイヤ部材６０Ａ，７０Ａ，８０Ａの梁部６２Ａ，７２Ａ，８２Ａが係合しているため、Ｙａ方向側及びＹｂ方向側のそれぞれの強度が向上している。
【００８６】
そのため、幅広形状に形成されたキートップ２０Ａを押圧操作する際に中心部分から外れた箇所（Ｘａ，Ｘｂ方向の端部付近）が押圧された場合にも、キートップ２０Ａ自体が撓むことを防止でき、あるいはゴム製アクチュエータ１００との当接部分を中心として旋回動作するような動きを防止することができる。
【００８７】
また、キートップ２０Ａは、Ｙａ方向側の縁部２７がワイヤ部材６０Ａの梁部６２Ａによりほぼ全長に亘り補強されているが、Ｙｂ方向側の縁部２６は長手方向の中心付近（ゴム製アクチュエータ１００が当接する領域）を除いてワイヤ部材７０Ａ，８０Ａの梁部７２Ａ，８２Ａによって補強される。そのため、Ｙａ方向側の縁部２６の長手方向の中心付近においては、ワイヤ部材が装架されていないので、前後方向（Ｙａ，Ｙｂ方向）の幅寸法がワイヤ部材の直径に想到する寸法分小さくなっている。よって、キートップ２０Ａは、下面側に各ワイヤ部材６０Ａ，７０Ａ，８０Ａの梁部６２Ａ，７２Ａ，８２Ａが係合することにより、小型化を図れると共に、薄型化に伴う強度不足を改善することが可能になる。
【００８８】
ここで、上記キースイッチ装置１０Ａの昇降動作について説明する。
【００８９】
図１７Ａは実施例２のキースイッチ装置１０Ａの操作前の状態を正面からみた縦断面図である。図１７Ｂは実施例２のキースイッチ装置１０Ａの押圧操作状態を示す縦断面図である。図１８Ａは図１７Ａ中Ｅ−Ｅ線に沿う側縦断面図である。図１８Ｂは図１７Ｂ中Ｆ−Ｆ線に沿う側縦断面図である。図１９Ａは図１７Ａ中Ｇ−Ｇ線に沿う側縦断面図である。図１９Ｂは図１７Ｂ中Ｈ−Ｈ線に沿う側縦断面図である。
【００９０】
図１７Ａ、図１８Ａ、図１９Ａに示されるように、キートップ２０Ａは、長手方向（Ｘａ，Ｘｂ方向）の中心部分をスイッチ機構４０のゴム製アクチュエータ１００及び一対のリンク部材１１０，１２０によりメンブレンスイッチシート１３０の上方の上限位置に支持され、且つ各ワイヤ部材６０Ａ，７０Ａ，８０ＡによりＹｂ方向側の縁部２６及びＹａ方向側の縁部２７が長手方向に沿って支持される。
【００９１】
各ワイヤ部材６０Ａ，７０Ａ，８０Ａの梁部６２Ａ，７２Ａ，８２Ａは、夫々キートップ２０の下面側に一体成型されたワイヤ係合部１６１〜１６８のＵ字状溝１８０に係合される。Ｕ字状溝１８０は、各ワイヤ部材６０Ａ，７０Ａ，８０Ａの梁部６２Ａ，７２Ａ，８２Ａが円形凹部１８２に圧入されると、梁部６２Ａ，７２Ａ，８２Ａを脱落不可状態に保持する。
【００９２】
よって、組み立て工程時には、図１４に示されるように、各ワイヤ部材６０Ａ，７０Ａ，８０Ａの各端部６６Ａ，６７Ａ，７６Ａ，７７Ａ，８６Ａ，８７Ａを鉤孔５２ａ〜５７ａに挿通させた後、上方からキートップ２０Ａを降下させることにより、各ワイヤ部材６０Ａ，７０Ａ，８０Ａの梁部６２Ａ，７２Ａ，８２Ａを一括して各ワイヤ係合部１６１〜１６８の各Ｕ字状溝１８０に係合させることが可能になる。すなわち、本実施例においては、実施例１と同様にワイヤ部材数が増加しても組み立て工数は、増加せず、効率良く組み立てることが可能である。
【００９３】
また、各ワイヤ部材６０Ａ，７０Ａ，８０Ａは、各端部６６Ａ，６７Ａ，７６Ａ，７７Ａ，８６Ａ，８７Ａが支持板５０Ａ上に起立する支持部５２Ａ〜５７Ａの鉤孔５２ａ〜５７ａに挿通されており、さらに各ワイヤ部材６０Ａ，７０Ａ，８０Ａの各腕部６４Ａ，６５Ａ，７４Ａ，７５Ａ，８４Ａ，８５Ａが斜め上方に延在する傾斜状態となって各端部６６Ａ，６７Ａ，７６Ａ，７７Ａ，８６Ａ，８７Ａと梁部６２Ａ，７２Ａ，８２Ａとを連結している。
【００９４】
そのため、各ワイヤ部材６０Ａ，７０Ａ，８０Ａは、キートップ２０Ａの昇降動作に連動して各端部６６Ａ，６７Ａ，７６Ａ，７７Ａ，８６Ａ，８７Ａを回動軸として回動動作する。このようにキートップ２０Ａは、Ｙｂ方向側の縁部２６及びＹａ方向側の縁部２７が長手方向の全長に亘って各ワイヤ部材６０Ａ，７０Ａ，８０Ａによって支持されている。
【００９５】
図１７Ｂ、図１８Ｂ、図１９Ｂに示されるように、キートップ２０Ａの上面が下方に押圧された場合、各ワイヤ部材６０Ａ，７０Ａ，８０Ａが各端部６６Ａ，６７Ａ，７６Ａ，７７Ａ，８６Ａ，８７Ａを中心として回動するため、キートップ２０Ａは、水平状態を維持しながら下限位置に降下する。また、キートップ２０Ａは、Ｙｂ方向側の縁部２６及びＹａ方向側の縁部２７が各ワイヤ部材６０Ａ，７０Ａ，８０Ａの梁部６２Ａ，７２Ａ，８２Ａによって支持され、且つ梁部６２Ａ，７２Ａ，８２Ａが各腕部６４Ａ，６５Ａ，７４Ａ，７５Ａ，８４Ａ，８５Ａを介して支持されているので、長手方向のどの箇所が押圧されても同じように水平状態のまま下限位置に降下する。これにより、キートップ２０Ａの薄型化、小型化に伴うスイッチング動作の信頼性を高めることが可能になる。
【産業上の利用可能性】
【００９６】
上記実施例では、左右方向（Ｘａ，Ｘｂ方向）に延在するキートップ２０，２０Ａを例に挙げて説明したが、これに限らず、前後方向（Ｙａ，Ｙｂ方向）に幅広形状とされた長形状のキートップにも本発明を適用することができるのは勿論である。
【００９７】
また、上記実施例では、細長い形状のキートップ２０，２０Ａを例に挙げて説明したが、これに限らず、左右方向（Ｘａ，Ｘｂ方向）及び前後方向（Ｙａ，Ｙｂ方向）に幅広形状（例えば、正方形あるいは幅広の長方形）とされたキートップにも本発明を適用することができるのは勿論である。
【００９８】
また、上記実施例では、一対のリンク部材１１０，１２０をＶ字状に組み合わせた構成を例に挙げて説明したが、これに限らず、一対のリンク部材１１０，１２０を逆Ｖ字状に組み合わせた構成としても良い。
【００９９】
また、上記実施例では、スイッチ機構４０にリンク部材１１０，１２０を配した構成を一例として挙げたが、リンク部材１１０，１２０を使用しない構成のものにも本発明を適用することができるのは勿論である。
【０１００】
また、上記実施例では、多数のキーが整列されたキーボードの一部のキーに用いられるキートップ２０，２０Ａの場合について説明したが、これに限らず、キートップ２０，２０Ａが単体で使用される場合にも本発明を適用することができるのは勿論である。
【０１０１】
また、上記実施例では、支持板５０の上面にメンブレンスイッチシート１３０を密着させる構成を例示したが、これに限らず、例えば、支持板５０上に一対の電極パターンを形成し、ゴム製アクチュエータ１００の小径当接部１００ａの下面に導電性部材を一体的に設け、ゴム製アクチュエータ１００の小径当接部１００ａが下方に押圧された際に導電性部材が一対の電極パターンに接触して当該一対の電極パターン間を導通させるようにしても良い。
【符号の説明】
【０１０２】
１０，１０Ａ  キースイッチ装置
２０，２０Ａ  キートップ
２２  係合部
２３  溝
２４，２５  突出部
２６，２７  縁部
３０，３０Ａ  キー補強機構
４０  スイッチ機構
５０，５０Ａ  支持板
５１  挿通孔
５２，５２Ａ，５３，５３Ａ  第１の支持部
５４，５４Ａ，５５，５５Ａ  第２の支持部
５６，５６Ａ，５７，５７Ａ  第３の支持部
５２ａ〜５７ａ  鉤孔
５８  ワイヤ押さえ
５９  キーガイド
６０，６０Ａ  第１のワイヤ部材
６２，６２Ａ  第１の梁部
７０，７０Ａ  第２のワイヤ部材
７２，７２Ａ  第２の梁部
８０，８０Ａ  第３のワイヤ部材
８２，８２Ａ  第３の梁部
６４，６４Ａ，６５，６５Ａ，７４，７４Ａ，７５，７５Ａ，８４，８４Ａ，８５，８５Ａ  腕部
６６，６６Ａ，６７，６７Ａ，７６，７６Ａ，７７，７７Ａ，８６，８６Ａ，８７，８７Ａ  端部
９０  リンク支持部材
９２  係合脚部
９４  枠体
９５  空間
９６  凹部
１００  ゴム製アクチュエータ
１００ａ  小径当接部
１００ｂ  大径当接部
１００ｃ  テーパ部
１１０，１２０  リンク部材
１１０ａ，１１０ｂ，１２０ａ，１２０ｂ  腕部
１１０ｃ，１２０ｃ  連結部
１１０ｄ，１２０ｄ  軸部
１１０ｅ，１２０ｅ  ギヤ部
１１０ｆ，１２０ｆ  係合突部
１１０ｇ，１２０ｇ  凹部
１３０  メンブレンスイッチシート
１３２  接点部
１３４  開口
１４０  キー取付領域
１５０  スイッチ領域
１６０  嵌合部
１６１〜１６８  ワイヤ係合部
１６９  ワイヤ当接部
１７０，１７１  リブ
１７０ａ，１７１ａ，１７０ｂ，１７１ｂ  壁部
１７０ｃ、１７１ｃ  突出部
１７２〜１７５  仕切り
１８０  Ｕ字状溝
１８１  開口
１８２  円形凹部
【図１】
2010272321.tif 000003
【図２】
2010272321.tif 000004
【図３】
2010272321.tif 000005
【図４Ａ】
2010272321.tif 000006
【図４Ｂ】
2010272321.tif 000007
【図４Ｃ】
2010272321.tif 000008
【図５】
2010272321.tif 000009
【図６】
2010272321.tif 000010
【図７】
2010272321.tif 000011
【図８】
2010272321.tif 000012
【図９Ａ】
2010272321.tif 000013
【図９Ｂ】
2010272321.tif 000014
【図１０Ａ】
2010272321.tif 000015
【図１０Ｂ】
2010272321.tif 000016
【図１１Ａ】
2010272321.tif 000017
【図１１Ｂ】
2010272321.tif 000018
【図１２】
2010272321.tif 000019
【図１３】
2010272321.tif 000020
【図１４】
2010272321.tif 000021
【図１５】
2010272321.tif 000022
【図１６】
2010272321.tif 000023
【図１７Ａ】
2010272321.tif 000024
【図１７Ｂ】
2010272321.tif 000025
【図１８Ａ】
2010272321.tif 000026
【図１８Ｂ】
2010272321.tif 000027
【図１９Ａ】
2010272321.tif 000028
【図１９Ｂ】
2010272321.tif 000029